(57)【要約】【課題】表示部が明るく大きく見え視認性が向上し、水中での撮影がしやすいカメラ用水中ハウジングを提供する。【解決手段】カメラ用水中ハウジング２０は、ＬＣＤなどのモニタ部１１を備えたカメラ１０をハウジング部材２１に収容して、水中撮影を可能にするハウジングであり、ハウジング部材２１の背面中央部でモニタ部１１に対応する位置に、そのモニタ部１１の画像を拡大して、モニタ部１１の見かけエリアが大きくする拡大レンズ部２２を備えて、この拡大レンズ部２２は、ハウジング部材２１に設けられており、矢印Ｂ方向に移動することにより、モニタ部１１に対する拡大レンズ部２２の角度を変化させることができる。【選択図】図１
2006078951.tif 000002
【特許請求の範囲】
【請求項１】
表示部を備えたカメラをハウジング部材に収容して、水中撮影を可能にするカメラ用水中ハウジングであって、
前記ハウジング部材の前記表示部に対応する位置に、その表示部の画像を拡大する拡大レンズ部を備えたこと、
を特徴とするカメラ用水中ハウジング。
【請求項２】
請求項１に記載のカメラ用水中ハウジングにおいて、
前記拡大レンズ部は、前記ハウジング部材の外部に設けられたこと、
を特徴とするカメラ用水中ハウジング。
【請求項３】
請求項１又は請求項２に記載のカメラ用水中ハウジングにおいて、
前記表示部に対する前記拡大レンズ部の角度を変化させるレンズ角度可変機構を備えたこと、
を特徴とするカメラ用水中ハウジング。
【請求項４】
請求項３に記載のカメラ用水中ハウジングにおいて、
前記レンズ角度可変機構は、前記ハウジング部材の外部から操作可能であること、
を特徴とするカメラ用水中ハウジング。
【発明の詳細な説明】
【技術分野】
【０００１】
本発明は、陸上用カメラを収容して、水中での使用を可能にするカメラ用水中ハウジングに関するものである。
【背景技術】
【０００２】
図７は、従来のカメラ用水中ハウジングを説明する図である。
カメラ用水中ハウジング３０は、ハウジング部材３１により、防水・耐圧構造を有さない陸上用のカメラ本体１０を収容して、水中での撮影を可能にするものである。
しかし、カメラ用水中ハウジング３０は、デジタルカメラ（ＤＳＣ）を収容して、水中で使いこなすのは、陸上に比較して以下のように、非常に困難であった。
【０００３】
例えば、水中で、カメラ本体１０の背面に設けられているＬＣＤモニタ１１を見ながら撮影すると、陸上に比べ視界が悪く暗くなってしまう。
また、水中を泳ぎながらの撮影のために、カメラを構えるポジションが決めにくく、ＬＣＤモニタ１１に対して、見やすい位置を確保することができない。
さらに、ＬＣＤモニタ１１が小さいために、視認性が悪く、ねらい通りの撮影を行うことが困難であった。
【０００４】
特許文献１は、陸上用カメラを水中へ持ち込む場合に用いるカメラ用水中ハウジングを開示しており、表示パネルの視認のために、表示覗き窓が設けられ、また、ファインダー部の視認のために、接眼窓が設けられているが、上述した視認性についての課題を解決するものではない。
【特許文献１】特開平−３３３７０１号公報、［００１６］，図１，図２
【発明の開示】
【発明が解決しようとする課題】
【０００５】
本発明の課題は、表示部が明るく大きく見え視認性が向上し、水中での撮影がしやすいカメラ用水中ハウジングを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、表示部（１１）を備えたカメラ（１０）をハウジング部材（２１）に収容して、水中撮影を可能にするカメラ用水中ハウジングであって、前記ハウジング部材の前記表示部に対応する位置に、その表示部の画像を拡大する拡大レンズ部（２２）を備えたこと、を特徴とするカメラ用水中ハウジングである。
請求項２の発明は、請求項１に記載のカメラ用水中ハウジングにおいて、前記拡大レンズ部は、前記ハウジング部材の外部に設けられたこと、を特徴とするカメラ用水中ハウジングである。
請求項３の発明は、請求項１又は請求項２に記載のカメラ用水中ハウジングにおいて、前記表示部に対する前記拡大レンズ部の角度を変化させるレンズ角度可変機構（２３）を備えたこと、を特徴とするカメラ用水中ハウジングである。
請求項４の発明は、請求項３に記載のカメラ用水中ハウジングにおいて、前記レンズ角度可変機構（２３）は、前記ハウジング部材の外部から操作可能であること、を特徴とするカメラ用水中ハウジングである。
【発明の効果】
【０００７】
本発明によれば、以下のような効果がある。
（１）ハウジング部材の表示部に対応する位置に拡大レンズ部を設けたので、カメラ本体に取り付けた表示部の見かけ上のモニタエリアが大きくなる拡大効果をもち、水中において表示部の視認性を向上させることができる。
（２）拡大レンズ部の角度を変化させるレンズ角度可変機構を設けたので、拡大レンズ部を移動させることより、撮影する角度と見る角度を変えることを可能とし、その結果、見る場所によって、表示部が非常に見えづらい、不安定なカメラ保持位置での水中撮影を容易にした。
【発明を実施するための最良の形態】
【０００８】
本発明は、表示部が明るく大きく見え視認性が向上し、水中での撮影がしやすいカメラ用水中ハウジングを提供するという目的を、モニタ部にあたる場所に、拡大レンズ部を設け、その拡大レンズ部をレンズ角度可変機構で移動させることにより実現する。
【実施例】
【０００９】
以下、本発明の実施例をあげて、図面を参照しながら説明する。
図１は、本発明によるカメラ用水中ハウジングの実施例を示す図である。
本実施例のカメラ用水中ハウジング２０は、ＬＣＤなどのモニタ部１１を備えたカメラ１０をハウジング部材２１に収容して、水中撮影を可能にするハウジングである。
このカメラ用水中ハウジング２０は、カメラ１０のモニタ部１１に対応する、ハウジング部材２１の背面中央部の位置に、そのモニタ部１１の画像を拡大して、モニタ部１１の見かけエリアを大きくする拡大レンズ部２２を備えている。
【００１０】
図２は、本実施例によるカメラ用水中ハウジングの拡大レンズ部を示す断面図（図１のＡ−Ａ断面）である。
この拡大レンズ部２２は、ハウジング部材２１の外部の曲面部２１ａに設けられており、矢印Ｂ方向に移動することにより、モニタ部１１に対する拡大レンズ部２２の角度を変化させるレンズ角度可変機構２３を備えている。
【００１１】
図３，図４は、本実施例によるカメラ用水中ハウジングのレンズ角度可変機構を説明する図である。
このレンズ角度可変機構２３は、図３に示すカム部２４と、図４に示すカムピン２５（２５ａ，２５ｂ，２５ｃ）とから構成されている。
【００１２】
カム部２４は、ハウジング部材２１の曲面部２１ａの左右両側に形成されており、内側に円弧状のカム溝２４ａが切られている。このカム溝２４ａは、端部２４ｂにカムピン２５の脱落を防止するクリップ２６が設けられている。
【００１３】
カムピン２５ａは、拡大レンズ部２２の一端面（右側面）の略中央部に形成され、カムピン２５ｂ，２５ｃは、拡大レンズ部２２の他端面（左側面）の略中央部から上下に対称な位置に形成されている。
そして、カムピン２５ａ，２５ｂ，２５ｃは、左右のカム溝２４ａにそれぞれ挿入されて、ハウジング部材１１の外部から操作により、図２の矢印Ｂ方向に移動することができる。３つのカムピン２５ａ，２５ｂ，２５ｃで移動させる理由は、製造誤差等があっても、カム溝２４ａへの挿入が容易で、しかも、カム溝２４ａ内での移動が滑らかになるからである。
【００１４】
図５，図６は、本実施例によるカメラ用水中ハウジングの使用方法を説明する模式図である。
図５に示すように、水中を泳ぎながら目線より上部の矢印Ｃ１方向を撮影したい場合には、拡大レンズ部２２を矢印Ｂ１の方向に移動すると、観察者眼Ｅの目線Ｄ１は、矢印Ｃ１方向よりも緩い角度で、モニタ部１１を略正面から観察することができる。
【００１５】
一方、図６に示すように、水中を泳ぎながら目線より下部の矢印Ｃ２方向を撮影したい場合には、拡大レンズ部２２を矢印Ｂ２の方向に移動すると、観察者眼Ｅの目線Ｄ２は、矢印Ｃ２方向よりも緩い角度で、モニタ部１１を略正面から観察することができる。
【００１６】
以上詳しく説明したように、本実施例によれば、カメラ用水中ハウジング２０のモニタ部１１にあたる場所に、拡大レンズ部２２を入れ、見る角度を変えることを可能とし、その結果、モニタ部１１の見かけエリアが大きくなると同時に拡大レンズ部２２を移動することにより、不安定な構えでも、水中撮影が容易になった。
このように、本実施例のカメラ用水中ハウジング２０は、陸上で使用するデジタルカメラをハウジング部材２１に入れただけで、水中においてモニタ部１１の視認性の拡大効果を持たせることができる。
つまり、拡大レンズ部２２により、カメラ本体１０に取り付けたＬＣＤなどのモニタ部１１のサイズよりも、モニタ画像を拡大させる効果を持ち、また、レンズ角度可変機構２３により、撮影する角度によるモニタ部１１の見えづらさ解消できる。
【００１７】
（変形例）
以上説明した実施例に限定されることなく、種々の変形や変更が可能であって、それらも本発明の均等の範囲内である。
例えば、表示部は、モニタ部１１の例で説明したが、表示パネル等であってもよい。
【図面の簡単な説明】
【００１８】
【図１】本発明によるカメラ用水中ハウジングの実施例を示す図である。
【図２】本実施例によるカメラ用水中ハウジングの拡大レンズ部を示す断面図（図１のＡ−Ａ断面）である。
【図３】本実施例によるカメラ用水中ハウジングのレンズ角度可変機構（カム部）を説明する図である。
【図４】本実施例によるカメラ用水中ハウジングのレンズ角度可変機構（カムピン）を説明する図である。
【図５】本実施例によるカメラ用水中ハウジングの使用方法（目線より上部を撮影したい場合）を説明する模式図である。
【図６】本実施例によるカメラ用水中ハウジングの使用方法（目線より下部を撮影したい場合）を説明する模式図である。
【図７】従来のカメラ用水中ハウジングを説明する図である。
【符号の説明】
【００１９】
１０  カメラ
１１  モニタ部
２０  カメラ用水中ハウジング
２１  ハウジング部材
２２  拡大レンズ部
２３  レンズ角度可変機構
２４  カム部
２５（２５ａ，２５ｂ，２５ｃ）  カムピン
２６  クリップ
【図１】
2006078951.tif 000003
【図２】
2006078951.tif 000004
【図３】
2006078951.tif 000005
【図４】
2006078951.tif 000006
【図５】
2006078951.tif 000007
【図６】
2006078951.tif 000008
【図７】
2006078951.tif 000009